(57)【要約】      （修正有）【課題】ハウジングに対するステータの周方向の位置決めを容易にする。【解決手段】上下方向に延びる中心軸を中心にして回転可能なロータ１と、ロータを駆動するステータ２と、ステータの径方向外端部を覆い、軸方向に延びる筒状の第１ハウジング３１と、を備える。ステータのインシュレータ２２は、ステータコア２１の上端部よりも上方に突出して周方向に延びる第１壁部２２１と、第１壁部の上端部に設けられて下方に凹む第１凹部２２２と、を有する。第１ハウジングは、軸方向に延びる第１筒部３１１と、第１筒部の上端部から径方向内方に広がる第１蓋部３１２と、軸方向及び径方向に広がる板状の第１リブ３１３と、を有する。第１リブは、第１蓋部の下面及び第１筒部の径方向内側面のうちの少なくとも一方に接続され、第１凹部内に配置されている。【選択図】図２
2020188543.tif 000002
【特許請求の範囲】
【請求項１】
上下方向に延びる中心軸を中心にして回転可能なロータと、
前記ロータを駆動するステータと、
前記ステータの径方向外端部を覆い、軸方向に延びる筒状の第１ハウジングと、
を備え、
前記ステータは、
前記中心軸を中心とする環状のステータコアと、
前記ステータコアの少なくとも一部を覆うインシュレータと、
を有し、
前記インシュレータは、
前記ステータコアの上端部よりも上方に突出して周方向に延びる第１壁部と、
前記第１壁部の上端部に設けられて下方に凹む第１凹部と、
を有し、
前記第１ハウジングは、
軸方向に延びる第１筒部と、
前記第１筒部の上端部から径方向内方に広がる第１蓋部と、
軸方向及び径方向に広がる板状の第１リブと、
を有し、
前記第１リブは、前記第１蓋部の下面及び前記第１筒部の径方向内側面のうちの少なくとも一方に接続され、前記第１凹部内に配置されている、モータ。
【請求項２】
前記ステータコアは、周方向に並ぶ複数のコアピースを含み、
前記ステータは、前記インシュレータを介して各々の前記コアピースに設けられるコイル部を複数有し、
軸方向から見て、前記第１凹部は、周方向に隣り合う前記コアピース間に重なり、
前記第１リブは、前記コイル部から離れている、請求項１に記載のモータ。
【請求項３】
前記第１ハウジングは、径方向内側面において径方向外方に凹んで前記第１ハウジングの下端から上方に延びる複数の溝部を有し、
前記ステータコアは、周方向において隣り合う前記コアピースを接合する接合部を有し、
前記溝部及び前記第１リブの周方向位置は、前記接合部の周方向位置と同じである、請求項２に記載のモータ。
【請求項４】
前記接合部の径方向外端部は、周方向において隣り合う前記コアピース間の径方向外端部において径方向外方に突出し、前記溝部内に配置される、請求項３に記載のモータ。
【請求項５】
前記第１リブは、前記第１凹部の上方を向く内底面と間隔を空けて軸方向に対向する、請求項１〜請求項４のいずれか１項に記載のモータ。
【請求項６】
前記第１ハウジングは、径方向内側面において周方向に延びる段部を有し、
前記段部は、
径方向内方を向いて前記ステータコアの径方向外端部と径方向に対向する第１内側面と、
径方向内方を向いて前記第１内側面よりも上方且つ径方向内方に位置する第２内側面と、
前記第１内側面の上端部から前記第２内側面の下端部に広がる第３内側面と、
を含み、
前記第３内側面は、下方を向き且つ前記ステータコアの上端部に接する、請求項１から請求項５のいずれか１項に記載のモータ。
【請求項７】
前記第１リブは、第１傾斜面を有し、
前記第１傾斜面は、前記第１リブの径方向内端部に設けられ、前記第１リブの下端部から上方に向かうにつれて径方向内方に広がる、請求項１〜請求項６のいずれか１項に記載のモータ。
【請求項８】
前記インシュレータは、前記ステータコアの上端部から上方に突出して周方向に延びる内壁部をさらに有し、前記内壁部は、前記第１壁部よりも径方向内方に設けられ、
前記第１リブは、前記第１傾斜面に設けられる窪み部をさらに有し、
前記窪み部は、前記第１傾斜面から上方及び径方向外方のうちの少なくともいずれかの方向に窪み、軸方向から見て前記内壁部と重なる、請求項７に記載のモータ。
【請求項９】
前記第１ハウジングの下端部に取り付けられて前記第１ハウジングの下端部を覆うハウジングカバーをさらに備え、前記ハウジングカバーには、前記ステータの軸方向下部が収容され、
前記ハウジングカバーは、
軸方向に延びて前記第１筒部の下端部に取り付けられる第２筒部と、
前記第２筒部の下端部から径方向内方に広がる第２蓋部と、
軸方向及び径方向に広がる板状の第２リブと、
を有し、
前記インシュレータは、
前記ステータコアの下端部から下方に突出して周方向に延びる第２壁部と、
前記第２壁部の下端部に設けられて上方に凹む第２凹部と、
を有し、
前記第２リブは、前記第２蓋部の上面及び前記第２筒部の径方向内側面のうちの少なくとも一方に接続され、前記第２凹部内に配置されている、請求項１から請求項８のいずれか１項に記載のモータ。
【請求項１０】
前記第２リブは、第２傾斜面を有し、
前記第２傾斜面は、前記第２リブの径方向内端部に設けられ、前記第２リブの上端部から下方に向かうにつれて径方向内方に広がる、請求項９に記載のモータ。
【請求項１１】
請求項１から請求項１０のいずれか１項に記載のモータと、
前記モータのロータに取り付けられるインペラと、
を備え、
前記モータは、
軸方向に延びる筒状であって前記第１ハウジングよりも径方向外方に設けられる第２ハウジングと、
前記第１ハウジングの径方向外側面と前記第２ハウジングの径方向内側面とを接続する静翼と、
をさらに有し、
前記インペラは、前記中心軸を中心にして前記ロータとともに回転可能な動翼を有する、軸流ファン。
【発明の詳細な説明】
【技術分野】
【０００１】
本発明は、モータ、軸流ファンに関する。
【背景技術】
【０００２】
従来、ハウジングの内部にステータが取り付けられるモータが知られている。たとえば、特許文献１の回転電動機では、モータハウジングの内周面に環状のステータの外周面が嵌められる。モータハウジングには、複数の雌ねじが形成されている。ステータを通じる複数のボルトを各々の雌ねじに螺合することで、ステータがモータハウジングに固定される。
【先行技術文献】
【特許文献】
【０００３】
【特許文献１】特開２０１９−１７１８７号公報
【発明の概要】
【発明が解決しようとする課題】
【０００４】
しかしながら、特許文献１では、ステータをハウジング内に収容する工程前又は該工程後に、軸方向から見てステータを通じるボルトが雌ねじと重なるように、ステータの周方向における位置決めをする必要がある。
【０００５】
本発明は、ハウジングに対するステータの周方向位置を容易に位置決めできるモータ、軸流ファンを提供することを目的とする。
【課題を解決するための手段】
【０００６】
本発明の例示的なモータは、上下方向に延びる中心軸を中心にして回転可能なロータと、前記ロータを駆動するステータと、前記ステータの径方向外端部を覆い、軸方向に延びる筒状の第１ハウジングと、を備える。前記ステータは、前記中心軸を中心とする環状のステータコアと、前記ステータコアの少なくとも一部を覆うインシュレータと、を有する。前記インシュレータは、前記ステータコアの上端部よりも上方に突出して周方向に延びる第１壁部と、前記第１壁部の上端部に設けられて下方に凹む第１凹部と、を有する。前記第１ハウジングは、軸方向に延びる第１筒部と、前記第１筒部の上端部から径方向内方に広がる第１蓋部と、軸方向及び径方向に広がる板状の第１リブと、を有する。前記第１リブは、前記第１蓋部の下面及び前記第１筒部の径方向内側面のうちの少なくとも一方に接続され、前記第１凹部内に配置されている。
【０００７】
本発明の例示的な軸流ファンは、上記のモータと、前記モータのロータに取り付けられるインペラと、を備える。前記モータは、軸方向に延びる筒状であって前記第１ハウジングよりも径方向外方に設けられる第２ハウジングと、前記第１ハウジングの径方向外側面と前記第２ハウジングの径方向内側面とを接続する静翼と、をさらに有する。前記インペラは、前記中心軸を中心にして前記ロータとともに回転可能な動翼を有する。
【発明の効果】
【０００８】
本発明の例示的なモータ、軸流ファンによれば、ハウジングに対するステータの周方向位置を容易に位置決めすることができる。
【図面の簡単な説明】
【０００９】
【図１】図１は、軸流ファンの斜視図である。
【図２】図２は、軸流ファンの構成例を示す断面図である。
【図３】図３は、ステータの軸方向上部の斜視図である。
【図４】図４は、ステータの軸方向下部の斜視図である。
【図５】図５は、第１凹部の変形例を示す図である。
【図６】図６は、第２凹部の変形例を示す図である。
【図７】図７は、ハウジングの断面図である。
【図８】図８は、図２の一点鎖線Ａ−Ａに沿う軸流ファンの断面図である。
【図９】図９は、段部の近傍を拡大した断面図である。
【図１０】図１０は、ハウジングカバーの斜視図である。
【図１１】図１１は、図２の二点鎖線Ｂ−Ｂに沿う軸流ファンの断面図である。
【図１２】図１２は、カバー段部の近傍を拡大した断面図である。
【発明を実施するための形態】
【００１０】
以下に図面を参照して例示的な実施形態を説明する。
【００１１】
なお、本明細書では、軸流ファン５００及びモータ１００において、中心軸ＣＡと平行な方向を「軸方向」と呼ぶ。軸方向のうち、後述するハウジングカバー４からインペラ２００への向きを「上方」と呼び、インペラ２００からハウジングカバー４への向きを「下方」と呼ぶ。各々の構成要素において、上方における端部を「上端部」と呼び、軸方向における上端部の位置を「上端」と呼ぶ。さらに、下方における端部を「下端部」と呼び、軸方向における下端部の位置を「下端」と呼ぶ。また、各々の構成要素の表面において、上方を向く面を「上面」と呼び、下方を向く面を「下面」と呼ぶ。
【００１２】
また、中心軸ＣＡに直交する方向を「径方向」と呼ぶ。径方向のうち、中心軸ＣＡへと近づく向きを「径方向内方」と呼び、中心軸ＣＡから離れる向きを「径方向外方」と呼ぶ。各々の構成要素において、内方における端部を「径方向内端部」と呼び、径方向における内端部の位置を「径方向内端」と呼ぶ。さらに、外方における端部を「径方向外端部」と呼び、径方向における外端部の位置を「径方向外端」と呼ぶ。また、各々の構成要素の側面において、内方を向く側面を「径方向内側面」と呼び、外方を向く側面を「径方向外側面」と呼ぶ。
【００１３】
また、中心軸ＣＡを中心とする回転方向を「周方向」と呼ぶ。各々の構成要素において、周方向における端部を「周方向端部」と呼び、周方向における周方向端部の位置を「周方向端」と呼ぶ。また、一方の周方向における端部を「周方向一方端部」と呼び、周方向における周方向一方端部の位置を「周方向一方端」と呼ぶ。さらに、他方の周方向における端部を「周方向他方端部」と呼び、周方向における周方向他方端部の位置を「周方向他方端」と呼ぶ。また、各々の構成要素の側面において、周方向を向く側面を「周方向側面」と呼ぶ。さらに、一方の周方向を向く側面を「周方向一方側面」と呼び、他方の周方向を向く側面を「周方向他方側面」と呼ぶ。
【００１４】
また、本明細書において、「環状」は、中心軸ＣＡを中心とする周方向の全周に渡って切れ目の無く連続的に一繋がりとなる形状のほか、中心軸ＣＡを中心とする全周の一部に切れ目を有する円弧状を含む。
【００１５】
なお、以上に説明した方向、位置、面、「環状」の定義などの事項は、実際の機器に組み込まれた場合において厳密に適用されるものではない。
【００１６】
＜１．実施形態＞
図１は、軸流ファン５００の斜視図である。図２は、軸流ファン５００の構成例を示す断面図である。なお、図２は、中心軸ＣＡを含み且つ中心軸ＣＡと平行な仮想の平面で軸流ファン５００を切断した場合の断面構造を示す。
【００１７】
＜１−１．軸流ファンの構成＞
軸流ファン５００は、送風装置であり、モータ１００と、インペラ２００と、を備える。モータ１００は、インペラ２００を回転駆動する駆動装置である。インペラ２００は、モータ１００の後述するロータ１に取り付けられる羽根車である。インペラ２００は、複数の動翼２０１と、有蓋筒状のインペラベース２０２と、を有する。複数の動翼２０１は、上下方向に延びる中心軸ＣＡを中心にしてロータ１とともに回転可能であり、インペラベース２０２から径方向外方に延びる。動翼２０１は、モータ１００の駆動により中心軸ＣＡを中心に回転することにより、気流を下方に送出する。
【００１８】
＜１−２．モータの構成＞
次に、モータ１００の構成を説明する。モータ１００は、ロータ１と、ステータ２と、ハウジング３と、ハウジングカバー４と、基板５と、を備える。
【００１９】
＜１−２−１．ロータ＞
ロータ１は、上下方向に延びる中心軸ＣＡを中心にして回転可能である。ロータ１は、シャフト１０と、マグネット１１と、バランス錘１２と、を有する。
【００２０】
シャフト１０は、ロータ１の回転軸であり、中心軸ＣＡを中心にして回転可能である。シャフト１０の軸方向上部には、インペラベース２０２が取り付けられる。
【００２１】
マグネット１１は、軸方向に延びる円筒形状であり、シャフト１０の径方向外側面に固定される。マグネット１１は、ステータ２よりも径方向内方に位置し、ステータ２の径方向内端部と間隔をあけた状態で径方向に対向する。
【００２２】
バランス錘１２は、ロータ１の回転バランスを調整するための部材である。バランス錘１２は、中心軸ＣＡを中心とする環状であり、本実施形態ではマグネット１１よりも上方及び下方においてシャフト１０の径方向外側面に設けられる。
【００２３】
＜１−２−２．ステータ＞
次に、図２〜図４を参照して、ステータ２の構成を説明する。図３は、ステータ２の軸方向上部の斜視図である。図４は、ステータ２の軸方向下部の斜視図である。
【００２４】
ステータ２は、中心軸ＣＡを中心とする環状であり、ロータ１を駆動して回転させる。ステータ２は、ステータコア２１と、インシュレータ２２と、複数のコイル部２３と、を有する。
【００２５】
ステータコア２１は、中心軸ＣＡを中心とする環状の磁性体であり、本実施形態では複数の電磁鋼板が軸方向に積層された積層体である。ステータコア２１は、周方向に並ぶ複数のコアピース２１０を含む。また、ステータコア２１は、周方向において隣り合うコアピース２１０を接合する接合部２１０１を有する。接合部２１０１は、たとえば溶接により、周方向において隣り合うコアピース２１０間を接合した部分である。接合部２１０１は、周方向に隣り合う各々のコアピース２１０間に設けられ、軸方向に延びる。本実施形態では、接合部２１０１の径方向外端部は、周方向において隣り合うコアピース２１０間の径方向外端部において径方向外方に突出する。
【００２６】
また、各々のコアピース２１０は、コアバック部２１１と、ティース部２１２と、を有する。言い換えると、ステータコア２１は、コアバック部２１１と、ティース部２１２と、を有する。コアバック部２１１は、中心軸ＣＡを中心とする環状であり、後述する第１ハウジング３１の径方向内側面で保持される。ティース部２１２は、複数であって、周方向に並ぶ。各々のティース部２１２は、コアバック部２１１から径方向内方に延びる。
【００２７】
インシュレータ２２は、たとえば樹脂材料を用いた絶縁部材であり、ステータコア２１の少なくとも一部を覆う。インシュレータ２２は、第１壁部２２１と、第１凹部２２２と、第１内壁部２２３と、第２壁部２２５と、第２凹部２２６と、第２内壁部２２７と、を有する。
【００２８】
第１壁部２２１は、ステータコア２１の上端部よりも上方に突出し、周方向に延びる。
【００２９】
第１凹部２２２は、第１壁部２２１の上端部に設けられ、下方に凹む。第１凹部２２２の周方向位置は、周方向に隣り合うコアピース２１０間を含む。言い換えると、軸方向から見て、第１凹部２２２は、周方向に隣り合うコアピース２１０間に重なる。第１凹部２２２は、上方を向く第１内底面２２２１を有する。第１内底面２２２１は、本実施形態では図３に示すように、ステータコア２１の上端部よりも上方にある。
【００３０】
但し、この例示に限定されず、第１凹部２２２は、ステータコア２１の上端部まで下方に凹んでいてもよい。図５は、図３の破線で囲まれた部分Ｅを拡大した図であり、第１凹部２２２の変形例を示す。たとえば図５に示すように、第１内底面２２２１は、ステータコア２１の上面の一部であってもよい。この場合、第１凹部２２２は、たとえば、第１壁部２２１に設けられるスリット、又は、第１壁部２２１の切れ目であってよい。或いは、第１壁部２２１は複数であり、第１凹部２２２は周方向に隣り合う第１壁部２２１間の第１の隙間であってよい。つまり、複数の第１壁部２２１が第１の隙間を介して周方向に設けられてもよい。
【００３１】
第１内壁部２２３は、ステータコア２１の上端部から上方に突出し、周方向に延びる。第１内壁部２２３は、第１壁部２２１よりも径方向内方に設けられる。
【００３２】
次に、第２壁部２２５は、ステータコア２１の下端部よりも下方に突出し、周方向に延びる。
【００３３】
第２凹部２２６は、第２壁部２２５の下端部に設けられ、上方に凹む。第２凹部２２６の周方向位置は、周方向に隣り合うコアピース２１０間を含む。言い換えると、軸方向から見て、第２凹部２２６は、周方向に隣り合うコアピース２１０間に重なる。第２凹部２２６は、下方を向く第２内底面２２６１を有する。第２内底面２２６１は、本実施形態では図４に示すように、ステータコア２１の下端部よりも下方にある。
【００３４】
但し、この例示に限定されず、第２凹部２２６は、ステータコア２１の下端部まで上方に凹んでいてもよい。図６は、図４の破線で囲まれた部分Ｆを拡大した図であり、第２凹部２２６の変形例を示す。たとえば図６に示すように、第２内底面２２６１は、ステータコア２１の下面の一部であってもよい。この場合、第２凹部２２６は、たとえば、第２壁部２２５に設けられるスリット、又は、第２壁部２２５の切れ目であってよい。或いは、第２壁部２２５は複数であり、第２凹部２２６は周方向に隣り合う第１壁部２２５間の第２の隙間であってよい。つまり、複数の第２壁部２２５が第２の隙間を介して周方向に設けられてもよい。
【００３５】
第２内壁部２２７は、第２壁部２２５よりも径方向内方に設けられる。第２内壁部２２７は、ステータコア２１の下端部から下方に突出し、周方向に延びる。
【００３６】
コイル部２３は、インシュレータ２２を介して導線（符号省略）がステータコア２１に巻き付けられた部材である。本実施形態では、コイル部２３は、インシュレータ２２を介して各々のコアピース２１０に設けられる。より具体的には、各々のコイル部２３において、導線は、インシュレータ２２を介してティース部２１２に巻き付けられる。導線の端部は、基板５に接続される。
【００３７】
＜１−２−３．ハウジング＞
次に、図２、図７、及び図８を参照して、ハウジングの構成を説明する。図７は、ハウジング３の断面図である。図８は、図２の一点鎖線Ａ−Ａに沿う軸流ファン５００の断面図である。なお、図７は、中心軸ＣＡを含む仮想の平面でハウジング３を切断した断面構造を示す。
【００３８】
ハウジング３は、軸方向に延び、ステータ２の軸方向上部を収容する。ハウジング３は、本実施形態では、アルミニウムなどの非磁性の金属製である。但し、この例示に限定されず、ハウジング３は、樹脂製であってもよい。ハウジング３は、第１ハウジング３１と、第２ハウジング３２と、静翼３３と、内筒部３４と、を有する（図２参照）。第１ハウジング３１、第２ハウジング３２、及び内筒部３４は、軸方向に延びる筒状である。第１ハウジング３１は、ステータ２の径方向外端部を覆う。第２ハウジング３２は、第１ハウジング３１よりも径方向外方に設けられる。静翼３３は、第１ハウジング３１の径方向外側面と第２ハウジング３２の径方向内側面とを接続するリブである。内筒部３４は、第１ハウジング３１よりも径方向内方に設けられるベアリングホルダである。内筒部３４の径方向内端面には、第１ベアリング３４０が設けられる。内筒部３４は、第１ベアリング３４０を介してシャフト１０の軸方向上部を回転可能に支持する。
【００３９】
＜１−２−３−１．第１ハウジング＞
第１ハウジング３１は、第１筒部３１１と、第１蓋部３１２と、第１リブ３１３と、を有する。
【００４０】
第１筒部３１１は、軸方向に延びる。第１筒部３１１は、段部３１１０と、溝部３１１５と、を有する。
【００４１】
段部３１１０は、第１筒部３１１の径方向内側面に設けられ、該径方向内側面において周方向に延びる。言い換えると、第１ハウジング３１は、段部３１１０を有する。段部３１１０は、第１ハウジング３１の径方向内側面において周方向に延びる。図９は、段部３１１０の近傍を拡大した断面図であり、図２の破線で囲まれた部分Ｃを拡大した図である。図９に示すように、段部３１１０は、第１内側面３１１１と、第２内側面３１１２と、第３内側面３１１３と、を含む。第１内側面３１１１及び第２内側面３１１２はそれぞれ、第１筒部３１１の径方向内側面の一部であり、径方向内方を向く。第１内側面３１１１は、ステータコア２１の径方向外端部と間隔を空けた状態或いは接触した状態（図９参照）で径方向に対向する。第２内側面３１１２は、第１内側面３１１１よりも上方且つ径方向内方に位置する。第３内側面３１１３は、第１内側面３１１１の上端部から第２内側面３１１２の下端部に広がり、下方を向く。言い換えると、第３内側面３１１３の径方向外端部は第１内側面３１１１の上端部に接続され、第３内側面３１１３の径方向内端部は第２内側面３１１２の下端部に接続される。図９に示すように、第３内側面３１１３は、ステータコア２１の上端部に接する。下方を向く第３内側面３１１３がたとえば電磁鋼板を用いたステータコア２１の上端部に接することにより、第１ハウジング３１内にステータ２を収容する際、第１ハウジング３１に対するステータ２の軸方向における位置決めを精度良く実施できる。たとえばインシュレータ２２の上端部を第１ハウジング３１の第１蓋部３１２の下面に当てて第１ハウジング３１に対するステータ２の軸方向位置を決める場合よりも精度良く、上述の位置決めができる。
【００４２】
溝部３１１５は、第１筒部３１１の径方向内側面に設けられ、第１筒部３１１の下端から段部３１１０まで上方に延びる。溝部３１１５は、第１筒部３１１の径方向内側面において径方向外方に凹む。言い換えると、第１ハウジング３１は、複数の溝部３１１５を有する。溝部３１１５は、第１ハウジング３１の径方向内側面において径方向外方に凹み、第１ハウジング３１の下端から上方に延びる。溝部３１１５の周方向位置は、コアピース２１０の接合部２１０１の周方向位置と同じである。
【００４３】
たとえば周方向において隣り合うコアピース２１０を溶接などで接合する際、その接合部２１０１の径方向外端部はコアピース２１０の径方向外側面よりも径方向外方に突出することがある。接合部２１０１の径方向外端部が突出しても、溝部３１１５の周方向位置は接合部２１０１の周方向位置と同じであるので、第１ハウジング３１内にステータ２を収容する際に、接合部２１０１の径方向外端部を溝部３１１５内に収容できる。そのため、接合部２１０１が第１ハウジング３１の径方向内側面に接触することを抑制又は防止できる。従って、たとえば、第１ハウジング３１内にステータ２を収容する際に、収容の途中でステータ２が第１ハウジング３１の径方向内側面に引っ掛かることなどを防止できる。よって、第１ハウジング３１内にステータ２を容易に収容することができる。
【００４４】
また、接合部２１０１の径方向外端部が径方向外方に突出した場合、突出した部分は溝部３１１５内に収容される。溝部３１１５内に、接合部２１０１の径方向外端部が配置されることにより、第１ハウジング３１内にステータ２を収容する際に、接合部２１０１を溝部３１１５に沿って軸方向に移動させることができる。従って、第１ハウジング３１内にステータ２をさらに容易に収容することができる。また、接合部２１０１の突出した部分は、溝部３１１５内に収容されることにより、溝部３１１５の周方向における内側面と間隔を空けた状態或いは接触した状態で対向する。従って、第１ハウジング３１に対してステータ２が周方向に回ることを抑制又は防止できる。
【００４５】
次に、第１蓋部３１２は、第１筒部３１１の上端部から径方向内方に広がる。第１蓋部３１２は、複数の第１支持部３１２１と、複数の第１開口３１２２と、を有する。第１支持部３１２１は、第１筒部３１１の上端部から径方向内方に延びる。第１支持部３１２１の径方向内端部は、内筒部３４の径方向外側面に接続される。第１開口３１２２は、第１筒部３１１の上端部と第１支持部３１２１と内筒部３４の軸方向下部とで囲まれる。
【００４６】
また、第１リブ３１３は、軸方向及び径方向に広がる板状である。本実施形態では、第１リブ３１３の周方向位置は、コアピース２１０の接合部２１０１の周方向位置と同じである。また、第１リブ３１３は、本実施形態では、第１蓋部３１２の下面と第１筒部３１１の径方向内側面とに接続されている。第１リブ３１３が第１蓋部３１２の下面と第１筒部３１１の径方向内側面との両方に接続されることで、第１リブ３１３は、第１ハウジング３１の上端部を補強して、第１ハウジング３１の剛性を向上できる。
【００４７】
但し、本実施形態の例示に限定されず、第１リブ３１３は、第１蓋部３１２の下面に接続される一方で、第１筒部３１１の径方向内側面に接続されていなくてもよい。言い換えると、第１リブ３１３は、第１蓋部３１２の下面から下方に突出する部材であってもよい。或いは、第１リブ３１３は、第１筒部３１１の径方向内側面に接続される一方で、第１蓋部３１２の下面に接続されていなくてもよい。言い換えると、第１リブ３１３は、第１筒部３１１の径方向内側面から径方向内方に突出する部材であってもよい。つまり、第１リブ３１３は、第１蓋部３１２の下面及び第１筒部３１１の径方向内側面のうちの少なくとも一方に接続されていればよい。
【００４８】
第１リブ３１３は、インシュレータ２２の第１凹部２２２内に配置される。第１リブ３１３が第１凹部２２２内に配置されることにより、第１ハウジング３１内にステータ２を収容する際、第１ハウジング３１に対するステータ２の周方向における位置決めを容易にできる。さらに、第１リブ３１３がインシュレータ２２の第１凹部２２２内に配置されることにより、第１リブ３１３の周方向端面が第１凹部２２２の周方向における内側面と間隔を空けた状態或いは接触した状態で対向する。従って、第１ハウジング３１に対してステータ２が周方向に回ることを抑制又は防止できる。よって、ハウジング３に対するステータ２の周方向位置を容易に位置決めできる。
【００４９】
また、ステータ２の軸方向上部において、第１リブ３１３は、コイル部２３から離れている。なお、第１リブ３１３は、軸方向及び周方向のうちの少なくとも一方において、コイル部２３から離れていればよい。第１リブ３１３がコイル部２３から離れているため、たとえば周方向から見て第１凹部２２２が周方向に隣り合うコアピース２１０間と重なっていても、第１リブ３１３がコイル部２３の上端部と接触することを防止できる。さらに、前述の如く、軸方向から見て第１凹部２２２が周方向に隣り合うコアピース２１０間と重なることにより、第１リブ３１３とコイル部２３の上端部との間の間隔をより広くすることができる。従って、たとえば金属製の第１ハウジング３１にコイル部２３が第１リブ３１３を介して導通することを防止できる。
【００５０】
また、本実施形態では、第１リブ３１３は、第１凹部２２２の上方を向く第１内底面２２２１と間隔を空けて軸方向に対向する。つまり、第１リブ３１３が第１凹部２２２の第１内底面２２２１との間に隙間を有することにより、第１ハウジング３１内にステータ２を収容する際、第１リブ３１３がインシュレータ２２に接触することを防止できる。従って、ステータ２の軸方向における位置決めの精度がより高い他の箇所で、ステータ２の位置決めを実施できる。たとえば前述のように、段部３１１０がステータコア２１の径方向外端部に当たる箇所で、第１ハウジング３１に対するステータ２の位置決めを精度良く実施できる。
【００５１】
次に、第１リブ３１３は、第１傾斜面３１３１と、第１窪み部３１３２と、を有する。
【００５２】
第１傾斜面３１３１は、第１リブ３１３の径方向内端部に設けられる。より詳しくは、第１傾斜面３１３１は、第１リブ３１３の軸方向下端部と径方向内端部との間に設けられて両者を接続する面である。第１傾斜面３１３１は、第１リブ３１３の下端部から上方に向かうにつれて径方向内方に広がる。言い換えると、第１傾斜面３１３１は、第１リブ３１３の径方向内端部から径方向外方に向かうにつれて下方に広がる。第１傾斜面３１３１を第１リブ３１３の径方向内端部に設けることにより、第１リブ３１３とコイル部２３の上端部との間隔をより広くすることができる。従って、たとえば金属製の第１ハウジング３１にコイル部２３が第１リブ３１３を介して導通することをより確実に防止できる。
【００５３】
なお、第１傾斜面３１３１は、本実施形態では、上方に向かうにつれて径方向内方に傾く平面である。但し、本実施形態の例示に限定されず、第１傾斜面３１３１は、上方及び径方向外方に凹む曲面であってもよいし、下方及び径方向内方に膨らむ曲面であってもよい。
【００５４】
第１窪み部３１３２は、第１傾斜面３１３１に設けられる。第１窪み部３１３２は、第１傾斜面３１３１から上方及び径方向外方のうちの少なくともいずれかの方向に窪む。また、第１窪み部３１３２は、軸方向から見て、インシュレータ２２の第１内壁部２２３と重なる。軸方向から見て第１内壁部２２３と重なる第１窪み部３１３２を第１傾斜面３１３１に設けることにより、第１ハウジング３１内にステータ２を収容する際、第１リブ３１３がインシュレータ２２の第１内壁部２２３に当たり難くなる。
【００５５】
＜１−２−４．ハウジングカバー＞
次に、図２、図１０、及び図１１を参照して、ハウジングカバー４の構成を説明する。図１０は、ハウジングカバー４の斜視図である。図１１は、図２の二点鎖線Ｂ−Ｂに沿う軸流ファン５００の断面図である。
【００５６】
ハウジングカバー４は、第１ハウジング３１の下端部に取り付けられて、第１ハウジング３１の下端部を覆う。ハウジングカバー４には、ステータ２の軸方向下部が収容される。図１０に示すように、ハウジングカバー４は、第２筒部４１と、第２蓋部４２と、第２リブ４３と、を有する。
【００５７】
第２筒部４１は、軸方向に延びて、第１筒部３１１の下端部に取り付けられる。第２筒部４１は、カバー段部４１０と、カバー溝部４１５と、を有する。
【００５８】
カバー段部４１０は、第２筒部４１の径方向内側面に設けられ、周方向に延びる。言い換えると、ハウジングカバー４は、カバー段部４１０を有する。カバー段部４１０は、ハウジングカバー４の径方向内側面において周方向に延びる。図１２は、カバー段部４１０の近傍を拡大した断面図であり、図２の破線で囲まれた部分Ｄを拡大した図である。カバー段部４１０は、図１２に示すように、第１カバー内側面４１１と、第２カバー内側面４１２と、第３カバー内側面４１３と、を含む。第１カバー内側面４１１及び第２カバー内側面４１２はそれぞれ、第２筒部４１の径方向内側面の一部であり、径方向内方を向く。第１カバー内側面４１１は、ステータコア２１の下端部における径方向外端部と間隔を空けた状態或いは接触した状態（図１２参照）で径方向に対向する。第２カバー内側面４１２は、第１カバー内側面４１１よりも下方且つ径方向内方に位置する。第３カバー内側面４１３は、第１カバー内側面４１１の下端部から第２カバー内側面４１２の上端部に広がり、上方を向く。言い換えると、第３カバー内側面４１３の径方向外端部は第１カバー内側面４１１の下端部に接続され、第３カバー内側面４１３の径方向内端部は第２カバー内側面４１２の上端部に接続される。第３カバー内側面４１３は、図１２に示すように、ステータコア２１の下端部に接する。上方を向く第３カバー内側面４１３がたとえば電磁鋼板を用いたステータコア２１の下端部に接することにより、ハウジングカバー４を第１ハウジング３１に取り付ける際、第１ハウジング３１に対するハウジングカバー４の軸方向における位置決めを精度良く実施できる。
【００５９】
カバー溝部４１５は、第２筒部４１の径方向内側面に設けられ、第２筒部４１の上端からカバー段部４１０まで下方に延びる。カバー溝部４１５は、第２筒部４１の径方向内側面において径方向外方に凹む。ハウジングカバー４は、複数のカバー溝部４１５を有する。カバー溝部４１５は、ハウジングカバー４の径方向内側面において径方向外方に凹み、ハウジングカバー４の上端から下方に延びる。
【００６０】
カバー溝部４１５の周方向位置は、コアピース２１０の接合部２１０１の周方向位置と同じであるので、ハウジングカバー４内にステータ２の軸方向下部を収容する際、接合部２１０１の径方向外端部が突出しても、接合部２１０１の径方向外端部をカバー溝部４１５内に収容できる。そのため、接合部２１０１がハウジングカバー４の径方向内側面に接触することを抑制又は防止できる。たとえば、ハウジングカバー４内にステータ２の軸方向下部を収容する際に、収容の途中でステータ２がハウジングカバー４の径方向内側面に引っ掛かることなどを防止できる。従って、ハウジングカバー４内にステータ２の軸方向下部を容易に収容することができる。また、接合部２１０１の径方向外端部の突出した部分は、カバー溝部４１５内に収容されることにより、カバー溝部４１５の周方向における内側面と間隔を空けた状態或いは接触した状態で対向する。従って、ハウジングカバー４がステータ２に対して周方向に回ることを抑制又は防止できる。
【００６１】
また、本実施形態では、カバー溝部４１５内に、接合部２１０１の径方向外端部が配置されることにより、ハウジングカバー４内にステータ２の軸方向下部を収容する際に、接合部２１０１をカバー溝部４１５に沿って軸方向に移動させることができる。従って、ハウジングカバー４内にステータ２の軸方向下部をさらに容易に収容することができる。
【００６２】
次に、第２蓋部４２は、第２筒部４１の下端部から径方向内方に広がる。第２蓋部４２は、環状部４２１と、複数の第２支持部４２２、複数の第２開口４２３と、を有する。環状部４２１は、中心軸ＣＡを中心とする環状である。第２支持部４２２は、第２筒部４１の下端部から径方向内方に延びる。第２支持部４２２の径方向内端部は、環状部４２１の径方向外端部に接続される。第２開口４２３は、第２筒部４１の下端部と環状部４２１の径方向外端部と第２支持部４２２とで囲まれる。
【００６３】
また、第２リブ４３は、軸方向及び径方向に広がる板状である。第２リブ４３は、第２蓋部４２の上面と第２筒部４１の径方向内側面とに接続されている。第２リブ４３が第２蓋部４２の上面と第２筒部４１の径方向内側面との両方に接続される場合、第２リブ４３は、ハウジングカバー４の下端部を補強して、ハウジングカバー４の剛性を向上できる。
【００６４】
但し、本実施形態の例示に限定されず、第２リブ４３は、第２蓋部４２の上面に接続される一方で、第２筒部４１の径方向内側面に接続されていなくてもよい。言い換えると、第２リブ４３は、第２蓋部４２の上面から上方に突出する部材であってもよい。或いは、第２リブ４３は、第２筒部４１の径方向内側面に接続される一方で、第２蓋部４２の上面に接続されていなくてもよい。言い換えると、第２リブ４３は、第２筒部４１の径方向内側面から径方向内方に突出する部材であってもよい。つまり、第２リブ４３は、第２蓋部４２の上面及び第２筒部４１の径方向内側面のうちの少なくとも一方に接続されていればよい。
【００６５】
第２リブ４３は、第２凹部２２６内に配置される。第２リブ４３がインシュレータ２２の第２凹部２２６内に配置されることにより、第１ハウジング３１の下端部にハウジングカバー４を取り付けてハウジングカバー４内にステータ２の軸方向下部を収容する際、ステータ２に対するハウジングカバー４の周方向における位置決めを容易にできる。さらに、第２リブ４３がインシュレータ２２の第２凹部２２６内に配置されることにより、第２リブ４３の周方向端面が第２凹部２２６の周方向における内側面と間隔を空けた状態或いは接触した状態で対向するので、ステータ２の軸方向下部に対してハウジングカバー４が周方向に回ることを抑制又は防止できる。
【００６６】
また、ステータ２の軸方向下部において、第２リブ４３は、コイル部２３から離れている。そのため、たとえば周方向から見て第２凹部２２６が周方向に隣り合うコアピース２１０間に重なっていても、コイル部２３の上端部との接触を防止できる。さらに、前述の如く、軸方向から見て第２凹部２２６が周方向に隣り合うコアピース２１０間と重なることにより、第２リブ４３とコイル部２３の上端部との間の間隔をより広くすることができる。
【００６７】
また、第２リブ４３は、本実施形態では、第２凹部２２６の下方を向く第２内底面２２６１と間隔を空けて軸方向に対向する。つまり、第２リブ４３が第２凹部２２６の第２内底面２２６１との間に隙間を有することにより、ハウジングカバー４内にステータ２の軸方向下部を収容する際、第２リブ４３がインシュレータ２２に接触することを防止できる。
【００６８】
次に、第２リブ４３は、第２傾斜面４３１と、第２窪み部４３２と、を有する。
【００６９】
第２傾斜面４３１は、第２リブ４３の径方向内端部に設けられる。より詳しくは、第２傾斜面４３１は、第２リブ４３の軸方向上端部と径方向内端部との間に設けられて両者を接続する面である。第２傾斜面４３１は、第２リブ４３の上端部から下方に向かうにつれて径方向内方に広がる。言い換えると、第２傾斜面４３１は、第２リブ４３の径方向内端部から径方向外方に向かうにつれて上方に広がる。第２傾斜面４３１を第２リブ４３の径方向内端部に設けることにより、第２リブ４３とコイル部２３の下端部との間隔をより広くすることができる。なお、第２傾斜面４３１は、本実施形態では、下方に向かうにつれて径方向内方に傾く平面である。但し、本実施形態の例示に限定されず、第２傾斜面４３１は、下方及び径方向外方に凹む曲面であってもよいし、上方及び径方向内方に膨らむ曲面であってもよい。
【００７０】
第２窪み部４３２は、第２傾斜面４３１に設けられる。第２窪み部４３２は、第２傾斜面４３１から下方及び径方向外方のうちの少なくともいずれかの方向に窪む。また、第２窪み部４３２は、軸方向から見て、インシュレータ２２の第２内壁部２２７と重なる。軸方向から見て第２内壁部２２７と重なる第２窪み部４３２を第２傾斜面４３１に設けることにより、ハウジングカバー４内にステータ２の軸方向下部を収容する際、第２リブ４３がインシュレータ２２の第２内壁部２２７に当たり難くなる。
【００７１】
＜２．その他＞
以上、本発明の実施形態を説明した。なお、本発明の範囲は上述の実施形態に限定されない。本発明は、発明の主旨を逸脱しない範囲で上述の実施形態に種々の変更を加えて実施することができる。また、上述の実施形態で説明した事項は、矛盾が生じない範囲で適宜任意に組み合わせることができる。
【産業上の利用可能性】
【００７２】
本発明は、たとえば、ハウジング内にステータが収容されるモータ、及び該モータを搭載する装置に有用である。
【符号の説明】
【００７３】
１００・・・モータ、１・・・ロータ、１０・・・シャフト、１１・・・マグネット、１２・・・バランス錘、２・・・ステータ、２１・・・ステータコア、２１０・・・コアピース、２１０１・・・接合部、２１１・・・コアバック部、２１２・・・ティース部、２２・・・インシュレータ、２２１・・・第１壁部、２２２・・・第１凹部、２２２１・・・第１内底面、２２３・・・第１内壁部、２２５・・・第２壁部、２２６・・・第２凹部、２２６１・・・第１内底面、２２７・・・第２内壁部、２３・・・コイル部、３・・・ハウジング、３１・・・第１ハウジング、３１１・・・第１筒部、３１１０・・・段部、３１１１・・・第１内側面、３１１２・・・第２内側面、３１１３・・・第３内側面、３１１５・・・溝部、３１２・・・第１蓋部、３１２１・・・第１支持部、３１２２・・・第１開口、３１３・・・第１リブ、３１３１・・・第１傾斜面、３１３２・・・第１窪み部、３２・・・第２ハウジング、３３・・・静翼、３４・・・内筒部、３４０・・・第１ベアリング、４・・・ハウジングカバー、４１・・・第２筒部、４１０・・・カバー段部、４１１・・・第１カバー内側面、４１２・・・第２カバー内側面、４１３・・・第３カバー内側面、４１５・・・カバー溝部、４２・・・第２蓋部、４２１・・・環状部、４２１１・・・第２ベアリング、４２２・・・第２支持部、４２３・・・第２開口、４３・・・第２リブ、４３１・・・第２傾斜面、４３２・・・第２窪み部、５・・・基板、２００・・・インペラ、２０１・・・動翼、２０２・・・インペラベース、５００・・・軸流ファン、ＣＡ・・・中心軸
【図１】
2020188543.tif 000003
【図２】
2020188543.tif 000004
【図３】
2020188543.tif 000005
【図４】
2020188543.tif 000006
【図５】
2020188543.tif 000007
【図６】
2020188543.tif 000008
【図７】
2020188543.tif 000009
【図８】
2020188543.tif 000010
【図９】
2020188543.tif 000011
【図１０】
2020188543.tif 000012
【図１１】
2020188543.tif 000013
【図１２】
2020188543.tif 000014